(57)【特許請求の範囲】
【請求項１】
自走開始位置まで往動されてきた可動体を往動終了位置まで自走させる、可動体の自走機構において、
可動体及び可動体を往復動可能に支持する固定体のいずれか一方に設けられたトリガと、他方に設けられたラッチ装置と、を備え、
上記ラッチ装置は、上記他方に保持されたベースと、ベースに可動体の移動方向に沿って移動可能に支持され、基準位置においてトリガを捕獲するキャッチャーと、キャッチャーが基準位置にあるときに付勢力を蓄えてキャッチャーを停止位置に付勢する引張りバネと、キャッチャーの移動に抵抗を与えるダンパと、を含み、
上記キャッチャーは、ベースに可動体の移動方向に沿って移動可能に支持され、上記引張りバネが連結されたキャッチャー本体と、キャッチャー本体によってそれぞれ支軸回りに回動可能に支持され、内向きに回動することによりトリガを捕捉可能な一対の保持アームと、キャッチャー本体によって進出位置および後退位置にスライド可能に支持されたスライダと、キャッチャー本体とスライダとの間に介在し、スライダを進出位置に付勢するロックバネと、を有し、
上記スライダは、トリガによって押圧可能な被押圧部と、一対の第１カム面と、を含み、上記一対の保持アームは、上記一対のカム面にそれぞれ係合可能な一対の第１カムフォロワ面を含み、
可動体が往動終了位置から自走開始位置へ復動されるときに、スライダの進出位置への変位に伴って、一対の第１カム面が一対の保持アームの対応する第１カムフォロワ面を押し拡げることにより、一対の保持アームが外向きに回動され、その結果、各保持アームの第１係合部が、ベースに設けられた対応するストッパ部に係合して、キャッチャーが基準位置に保持され、
可動体が自走開始位置まで往動されてきたときに、トリガがスライダの被押圧部を押圧してスライダをロックバネに抗して後退位置に変位させるに伴って、一対の第１カム面と対応する第１カムフォロワ面の係合が外れて、一対の保持アームの内向きへの回動が許容される状態となり、その状態で、引張りバネの付勢力が、各ストッパ部に設けられた第２カム面とそれぞれ対応する保持アームの第２カムフォロワ面の働きで、一対の保持アームを内向きに回動される力に変換されて一対の保持アームが内向きに回動され、その結果、各保持アームの第１係合部と対応するストッパ部との係合が解除されて、引張りバネによってキャッチャーが停止位置側へ移動され、
キャッチャーが基準位置にあるときに、一対の保持アームを上記内向きに回動させる力で、スライダがロックバネの付勢力に抗して後退位置に後退されないように構成されており、
上記キャッチャーが基準位置にあるときに、進出位置にあるスライダの各第１カム面と対応する第１カムフォロワ面との法線が、スライダの進退方向に対してなす角度は、一対の保持アームを上記内向きに回動させる力で、スライダがロックバネの付勢力に抗して後退位置に後退されないように、８５度〜９５度の範囲にあることを特徴とする可動体の自走機構。
【請求項２】
請求項１において、上記一対の保持アームは、スライダの被押圧部を押圧したトリガを保持可能な第１保持部と、第１保持部よりも先端側に配置された第２保持部と、を区画しており、
上記一対の保持アームの先端に一対の傾斜状の第３カム面が設けられ、
トリガを捕獲しない状態で停止位置に配置されたキャッチャーにおいて、内向きに回動した状態の一対の保持アームの第３カム面をトリガが押し拡げることにより、トリガが第２保持部に捕獲されるようにしてあることを特徴とする可動体の自走機構。
【発明の詳細な説明】
【技術分野】
【０００１】
本発明は、自走開始位置まで往動されてきた可動体を自走往動させて、往動終了位置まで移動させる可動体の自走機構に関する。
【背景技術】
【０００２】
引戸が急激に閉められると、引戸が戸当たりに衝撃的に当接して大きな衝突音を発するという問題がある。
そこで、特許文献１では、引戸（可動体）の自走開始位置においてラッチ装置に含まれるキャッチャーによりストライカを捕捉した後、キャッチャーを引っ張りコイルばねによって付勢して引戸を停止位置（往動終了位置）まで往動させる可動体の自走機構が提案されている。特許文献１では、キャッチャーの移動にダンパによる抵抗を与えて、引戸（可動体）に制動力を付与し、その制動力が付与される位置から引戸をゆっくりと閉鎖位置まで移動させるようにしている。
【０００３】
具体的には、特許文献１の図１０に示されているように、キャッチャーは、キッャチャーベースと、進退可能なスライダと、スライダを進出方向に付勢する圧縮コイルばねと、キャッチャーベースに回動可能に支持され一対の抱持片とから構成されている。
スライダが進出すると、スライダの肩部が一対の抱持片の基端部近傍の連係突部が押されることにより、スライダによって一対の抱持片が外向きに回動される。これにより、一対の抱持片のロック部が、ベース部に設けられた被ロック部に係合し、キャッチャーが基準位置に保持される。
【０００４】
また、ストライカが、スライダの頭部を押圧して、圧縮コイルばねの付勢力に抗してスライダを後退させると、後退してスライダの一対のあご部によって、一対の抱持片の基端部近傍の連係突部が押される。これにより、一対の抱持片が内向きに回動されて、上記ロック部と被ロック部の係合が解除され、引っ張りコイルばねが引戸を停止位置（往動終了位置）へ移動させる。
【先行技術文献】
【特許文献】
【０００５】
【特許文献１】特開２００９−２５７００３号公報
【発明の概要】
【発明が解決しようとする課題】
【０００６】
しかしながら、特許文献１では、引戸が戸当たりに衝突する音は低減されるものの、特に復動のときに、内部の作動音として衝撃音が発生するという問題があった。
本願発明者は、特許文献１において、内部の衝撃音が発生する原因が下記にあると考えた。各抱持片の連係突部とスライダの対応する肩部との接触面の法線が、スライダの進退方向に対してなす角度が、略２５度とされている。
【０００７】
停止位置から復動された可動体が自走開始位置に達したときに、圧縮コイルばねによって付勢されたスライダが進出位置に進出し、一対の抱持片が外向きに回動されて、ストライカの抱持が解除されるとともに、一対の抱持片のロック部が、ベース部に設けられた被ロック部に係合する。
この係合に際して、一対の抱持片が内向きに回動される方向の衝撃反力を受けたときに、その衝撃反力が、圧縮コイルばねに抗してスライダを後退させる力に変換されるため、スライダや一対の抱持片が微小な躍り等を生じて、スライダや一対の抱持片に生じた衝撃振動が持続され易く、これが内部の耳障りな衝撃音となっていると考えた。
【０００８】
また、衝撃でロック部と被ロック部の係合が外れないようにするために、付勢力の高い圧縮コイルばねを用いなければならない。これも、ロック部と被ロック部が係合音を大きくする原因となっていた。
本発明は上記課題に鑑みてなされたものであり、本発明の目的は、内部の衝撃音を格段に低減することができる可動体の自走機構を提供することである。
【課題を解決するための手段】
【０００９】
上記目的を達成するため、請求項１記載の発明は、自走開始位置まで往動されてきた可動体（１）を往動終了位置まで自走させる、可動体の自走機構（Ａ）において、可動体及び可動体を往復動可能に支持する固定体（２）のいずれか一方に設けられたトリガ（３）と、他方に設けられたラッチ装置（４）と、を備え、上記ラッチ装置は、上記他方に保持されたベース（５）と、ベースに可動体の移動方向に沿って移動可能に支持され、基準位置においてトリガを捕獲するキャッチャー（６）と、キャッチャーが基準位置にあるときに付勢力を蓄えてキャッチャーを停止位置に付勢する引張りバネ（７）と、キャッチャーの移動に抵抗を与えるダンパ（８）と、を含み、上記キャッチャーは、ベースに可動体の移動方向に沿って移動可能に支持され、上記引張りバネが連結されたキャッチャー本体（９）と、キャッチャー本体によってそれぞれ支軸（１０）回りに回動可能に支持され、内向きに回動することによりトリガを捕捉可能な一対の保持アーム（１１，１２）と、キャッチャー本体によって進出位置および後退位置にスライド可能に支持されたスライダ（１３）と、キャッチャー本体とスライダとの間に介在し、スライダを進出位置に付勢するロックバネ（１４）と、を有し、上記スライダは、トリガによって押圧可能な被押圧部（１８）と、一対の第１カム面（１９，２０）と、を含み、上記一対の保持アームは、上記一対のカム面にそれぞれ係合可能な一対の第１カムフォロワ面（２１，２２）を含み、可動体が往動終了位置から自走開始位置へ復動されるときに、スライダの進出位置への変位に伴って、一対の第１カム面が一対の保持アームの対応する第１カムフォロワ面を押し拡げることにより、一対の保持アームが外向きに回動され、その結果、各保持アームの第１係合部が、ベースに設けられた対応するストッパ部（２５，２６）に係合して、キャッチャーが基準位置に保持され、可動体が自走開始位置まで往動されてきたときに、トリガがスライダの被押圧部を押圧してスライダをロックバネに抗して後退位置に変位させるに伴って、一対の第１カム面と対応する第１カムフォロワ面の係合が外れて、一対の保持アームの内向きへの回動が許容される状態となり、その状態で、引張りバネの付勢力が、各ストッパ部に設けられた第２カム面（２５ａ，２６ａ）とそれぞれ対応する保持アームの第２カムフォロワ面（２７，２８）の働きで、一対の保持アームを内向きに回動される力に変換されて一対の保持アームが内向きに回動され、その結果、各保持アームの第１係合部と対応するストッパ部との係合が解除されて、引張りバネによってキャッチャーが停止位置側へ移動され、キャッチャーが基準位置にあるときに、一対の保持アームを上記内向きに回動させる力で、スライダがロックバネの付勢力に抗して後退位置に後退されないように構成されており、上記キャッチャーが基準位置にあるときに、進出位置にあるスライダの各第１カム面と対応する第１カムフォロワ面との法線が、スライダの進退方向に対してなす角度は、一対の保持アームを上記内向きに回動させる力で、スライダがロックバネの付勢力に抗して後退位置に後退されないように、８５度〜９５度の範囲にあることを特徴とする可動体の自走機構を提供する。
【００１１】
また、請求項２のように、上記一対の保持アームは、スライダの被押圧部を押圧したトリガを保持可能な第１保持部（２９）と、第１保持部よりも先端側に配置された第２保持部（３０）と、を区画しており、上記一対の保持アームの先端に一対の傾斜状の第３カム面（３１，３２）が設けられ、トリガを捕獲しない状態で停止位置に配置されたキャッチャーにおいて、内向きに回動した状態の一対の保持アームの第３カム面をトリガが押し拡げることにより、トリガが第２保持部に捕獲されるようにしてある場合がある。
【００１２】
なお、上記において、括弧内の英数字は、後述の実施形態における対応構成要素の参照符号を表すものであるが、これらの参照符号により特許請求の範囲を限定する趣旨ではない。
【発明の効果】
【００１３】
請求項１の発明によれば、往動終了位置から復動された可動体が自走開始位置に達したときに、ロックバネによって付勢されたスライダが進出位置に進出し、一対の保持アームが外向きに回動されて、一対の保持アームによるトリガの保持が解除されるとともに、一対の保持アームの第１係合部が、ベースのストッパ部に係合する。この係合に伴う衝撃反力を一対の保持アームが受けても、一対の保持アームを内向きに回動させる力が、ロックバネの付勢力に抗してスライダを後退位置に後退させることがない。したがって、衝撃反力によって、一対の保持アームやスライダに微小な踊り等が生じ難く、耳障りな内部の衝撃音を格段に低減することができる。
【００１４】
また、キャッチャーが基準位置にあるときに、進出位置にあるスライダの各第１カム面と対応する第１カムフォロワ面との法線が、スライダの進退方向に対してなす角度を、所定の大きさ、例えば実質的なレベルで直角に設定すれば、上記衝撃反力によって一対の保持アームを内向きに回動させる力が、ロックバネの付勢力に抗してスライダを後退位置に後退させることがない。
【００１５】
すなわち、上記角度が８５度〜９５度の範囲にあれば、上記衝撃反力によって一対の保持アームを内向きに回動させる力が、ロックバネの付勢力に抗してスライダを後退位置に後退させることを確実に防止することができる。したがって、耳障りな内部の衝撃音をより低減することができる。
請求項２の発明によれば、トリガの保持に失敗したキャッチャーが停止位置に配置されてしまった場合に、キャッチャーを基準位置に自動的に復帰させることができる。すなわち、トリガを捕獲しない状態で停止位置に配置されたキャッチャーにおいて、内向きに回動した状態の一対の保持アームの第３カム面をトリガが押し拡げることにより、トリガが第２保持部に捕獲されるので、そのまま可動体を自走開始位置まで復動させることができる。
【図面の簡単な説明】
【００１６】
【図１】本発明の一実施の形態の可動体の自走機構が適用された引戸構造の概略斜視図である。
【図２】自走機構のラッチ装置の平面図である。
【図３】ラッチ装置の部分断面側面図である。
【図４】ラッチ装置の正面図である。
【図５】（ａ）はラッチ装置の要部の拡大平面図であり、（ｂ）は（ａ）のさらに拡大図である。
【図６】（ａ）〜（ｄ）は、通常時の可動体の往動工程を順次に示す概略断面図である。
【図７】（ａ）〜（ｃ）は、通常時の可動体の復動工程を順次に示す概略断面図である。
【図８】（ａ）〜（ｄ）はトリガの捕獲に失敗したキャッチャーが停止位置にあるときに、自動復帰させる工程の前半の工程を順次に示す概略断面図であり、往動終了位置にあるキャッチャーにトリガを捕獲する工程を順次に示している。
【図９】（ａ）〜（ｃ）はトリガの捕獲に失敗したキャッチャーが停止位置にあるときに、自動復帰させる工程の後半の工程を順次に示す概略断面図であり、往動終了位置でトリガを捕獲させたキャッチャーを基準位置に復動させる工程を順次に示している。
【発明を実施するための形態】
【００１７】
本発明の好ましい実施の形態を添付図面を参照しつつ説明する。                      図１は、本発明の一実施の形態の可動体の自走機構Ａが適用された引戸構造の概略斜視図である。図１に示すように、自走機構Ａは、例えば引戸である可動体１が、例えば戸枠である固定体２に往復動可能に支持されている。可動体としての引戸は、上吊り引戸であってもよい。
【００１８】
自走機構Ａは、固定体２に備えられた棒状のトリガ３と、可動体１に備えられたラック装置４とを備えている。具体的には、トリガ３は、固定体２の上枠２ｂに形成された可動体１の上端の収まる溝２ｃ内に備えられている。トリガ３は、可動体１を閉めるときに、その移動方向の前端１ａに対する戸当たり２ａとの間に間隔を開けた位置に配置され、溝２ｃの溝底から下方に突き出すように、軸上端側をこの溝底に止着させた棒状をなすように構成されている。
【００１９】
本実施の形態では、トリガ３が固定体２に固定され、ラッチ装置４が可動体１に同行移動可能に保持される場合に則して説明するが、これに限らず、トリガが可動体に同行移動可能に保持され、ラッチ装置が固定体に固定されるものであってもよい。
自走機構Ａは、可動体１を閉める方向に移動操作させると、その途中（自走開始位置）から、可動体１を戸当たり２ａに突き当たる閉めきり位置（往動終了位置）まで自走させるように機能するものとなっている。
【００２０】
図２および図３に示すように、ラッチ装置４は、固定体２の組込み空間（図示せず）に保持されたベース５と、ベース５によって移動可能に支持され、トリガ３を捕獲可能なキャッチャー６と、ベース５に対してキャッチャー６を停止位置〔図６（ｄ）参照〕に付勢する引っ張りコイルバネからなる引張りバネ７と、キャッチャー６の移動に抵抗を与える例えば油圧式のダンパ８とを備えている。
【００２１】
図２および図３に示すように、キャッチャー６は、ベース５内に移動可能に支持されたキャッチャー本体９と、キャッチャー本体９によって支軸１０回りに回動可能に支持され、内向きに回動することによりトリガ３を捕捉可能な一対の保持アーム１１，１２と、キャッチャー本体９によって進出位置と後退位置とにスライド可能に支持されたスライダ１３と、キャッチャー本体９とスライダ１３との間に介在し、スライダ１３を進出位置に付勢する圧縮コイルバネからなるロックバネ１４とを備えている。
【００２２】
ベース５は、底壁５１、一対の側壁５２，５３と、一対の側壁５２，５３から延びる一対の天壁５４，５５とを有している。底壁５１と天壁５４，５５との関係は、上下逆であってもよい。ベース５の前半部において、両天壁５４，５５に跨がる開口が形成され、その開口の一対の縁部に、スライダ１３の互いに平行な一対の被案内面１３ａを案内するための、互いに平行な一対の案内面５ａ，５ｂが設けられている。
【００２３】
図３に示すように、ベース５内でのキャッチャー本体９の移動は、ベース５の底壁５１の内面に設けられた案内面５ｃと、ベース５の各側壁５２，５３の内側面に設けられた案内面５ｄ，５ｅとによって案内されるようにしてある。
スライダ１３の移動は、キャッチャー本体９に形成された案内面９ａと、ベース５の天壁５４，５５の開口の縁部に設けられた上記案内面５ａ，５ｂとによって案内されるようにしてある。
【００２４】
引張りバネ７の一端７ａは、ベース５に係止され、他端７ｂに連結されたエンド（図示せず）が、調整ねじ１５に軸方向に同行移動可能に連結されている。図４に示すように、調整ねじ１５の頭部が、ベース４の端部に露出しており、調整ねじ１５はベース５のねじ孔（図示せず）螺合されている。調整ねじ１５を回動操作することにより、引張りバネ７の付勢力を調整できるようになっている。
【００２５】
図３を参照して、ダンパ８は、ベース５に固定されたシリンダ１６と、シリンダ１６から進退するロッド１７とを備えている。ロッド１７の先端１７ａが、キャッチャー本体９に係止されている。これにより、キャッチャー６の移動に伴って、引張りバネ７およびロッド１７が伸縮されるようになっている。
図５（ａ）に示すように、スライダ１３は、トリガ３によって押圧可能な被押圧部１８と、外向きの一対の第１カム面１９，２０とを備えている。一方、一対の保持アーム１１，１２は、スライダ１３の一対の第１カム面１９，２０にそれぞれ係合可能な一対の第１カムフォロワ面２１，２２を含んでいる。
【００２６】
一対の保持アーム１１，１２間には、スライダ１３の被押圧部１８を押圧したトリガ３を保持可能な第１保持部２９〔図６（ｃ），（ｄ）も参照〕と、第１保持部２９よりも先端側に配置された第２保持部３０とが区画されている。第１保持部２９および第２保持部３０は瓢箪状の空間を形成している。また、一対の保持アーム１１，１２の先端には、一対の傾斜状の第３カム面３１，３２が設けられている。
【００２７】
本実施の形態の特徴とするところは、図５（ｂ）に示すように、キャッチャー６が基準位置にあるときに、一対の保持アーム１１，１２を上記内向きに回動させる力Ｆ（スライダ１３を両側から挟む挟持力に相当）で、スライダ１３がロックバネ１４の付勢力Ｇに抗して後退位置（後退方向Ｘ２側）に後退しないように構成されている点にある。
具体的には、進出位置にあるスライダ１３の各第１カム面１９，２０と対応する第１カムフォロワ面２１，２２との法線Ｌ１，Ｌ２が、スライダ１３の進退方向Ｙ１，Ｙ２に対してなす角度θ１，θ２が、一対の保持アーム１１，１２を上記内向きに回動させる力Ｆ（スライダ１３を両側から挟む挟持力に相当）で、スライダ１３がロックバネ１４の付勢力Ｇに抗して後退位置に後退しない大きさに設定されている。
【００２８】
角度θ１，θ２は、８５度〜９５度の範囲に設定されている。角度θ１，θ２は９０度の場合がある。
次いで、図６（ａ）〜（ｄ）は、通常時の可動体１の往動工程を示している。図６（ａ）〜（ｃ）に示すように、可動体１と往動方向Ｘ１に同行移動したラッチ装置４内に侵入したトリガ３が、図６（ｂ），（ｃ）に示すようにスライダ１３の被押圧部１８を押圧して、スライダ１３をロックバネ１４に抗して後退位置に変位させるに伴って、一対の第１カム面１９，２０と対応する第１カムフォロワ面２１，２２の係合が外れて、一対の保持アーム１１，１２の内向きへの回動が許容されるようになっている。
【００２９】
このように一対の保持アーム１１，１２の内向きへの回動が許容された状態で、引張りバネ７の付勢力が、各ストッパ部２５，２６に設けられた第２カム面２５ａ，２６ｂ〔図５（ｂ）を参照〕とそれぞれ対応する保持アーム１１，１２の第１係合部２３，２４の第２カムフォロワ面２７，２８の働きで、一対の保持アーム１１，１２が内向きに回動される力に変換されて、図６（ｃ）に示すように、一対の保持アーム１１，１２が内向きに回動される。
【００３０】
これにより、一対の保持アーム１１，１２間にトリガ３が捕獲されるとともに、各保持アーム１１，１２の第１係合部２３，２４と対応するストッパ部２５，２６との係合が解除されて、図６（ｄ）に示すように、引張りバネ７によってキャッチャー６が停止位置へ駆動される。
次いで、図７（ａ）〜（ｃ）は、通常時の可動体１の復動工程を示している。図７（ａ）に示すように可動体１が往動終了位置にある状態から、図７（ｂ）に示すように、引張りバネ１を伸長させつつ、可動体１を復動方向Ｘ２へ移動させると、可動体１にキャッチャー６が同行移動する。そして、図７（ｃ）に示すように、可動体１が自走開始位置まで復動すると、ロックバネ１４の付勢によるスライダ１３の進出位置への変位に伴って、一対の第１カム面１９，２０が一対の保持アーム１１，１２の対応する第１カムフォロワ面２１，２２を押し拡げることにより、一対の保持アーム１１，１２が外向きに回動される、その結果、第１保持部２９によるトリガ３の保持が解除されるとともに、各保持アーム１１，１２の第１係合部２３，２４が、ベース５に設けられた対応するストッパ部２５，２６に係合して、キャッチャー６が基準位置に保持される。
【００３１】
次いで、図８（ａ）〜（ｄ），図９（ａ）〜（ｃ）は自動復帰工程を示している。すなわち、図８（ａ）に示すように、トリガ３の捕獲に失敗してトリガ３を捕獲しない状態で往動終了位置に配置されたキャッチャー６において、一対の保持アーム１１，１２は内向きに回動した状態にある。この場合において、キャッチャー６をトリガ３を捕獲させた状態で基準位置に自動的に復帰させることができる。
【００３２】
図８（ａ）に示す往動終了位置から可動体１を往動させてゆくと、図８（ｂ）に示すように、トリガ３が一対の保持アーム１１，１２の第３カム面３１，３２に当接して、これを図８（ｃ）に示すように、押し拡げることにより、図８（ｄ）に示すように、トリガ３が前側の第２保持部３０に捕獲される。
その後、図９（ａ），（ｂ）に示すように、可動体１を自走開始位置に向けて復動させ、図９（ｃ）に示すように、可動体１が自走開始位置に達すると、トリガ３が一対の保持アーム１１，１２を押し拡げながら、第２保持部３０から前方へ離脱する。また、一対の保持アーム１１，１２が外向きに回動され、各保持アーム１１，１２の第１係合部２３，２４が、ベース５に設けられた対応するストッパ部２５，２６に係合して、キャッチャー６が基準位置に保持される。これにより、容易に自動復帰が達成される。
【００３３】
本実施の形態にによれば、往動終了位置から復動された可動体１が自走開始位置に達したときに、例えば圧縮コイルバネであるロックバネ１４によって付勢されたスライダ１３が進出位置に進出し、一対の保持アーム１１，１２が外向きに回動されて、一対の保持アーム１１，１２によるトリガ１３の保持が解除されるとともに、一対の保持アーム１１，１２の第１係合部２３，２４が、ベース５のストッパ部２５，２６に係合する。
【００３４】
この係合に伴う衝撃反力を一対の保持アーム１１，１２が受けても、一対の保持アーム１１，１２を内向きに回動させる力Ｆ（スライダ１３を両側から挟持する挟持力）が、ロックバネ１４の付勢力Ｇに抗してスライダ１３を後退位置に後退させることがない。したがって、衝撃反力によって、一対の保持アーム１１，１２やスライダ１３に微小な踊り等が生じ難く、耳障りな内部の衝撃音を格段に低減することができる。
【００３５】
具体的には、キャッチャー６が基準位置にあるときに、進出位置にあるスライダ１３の各第１カム面１９，２０と対応する第１カムフォロワ面２１，２２との法線Ｌ１，Ｌ２が、スライダ１３の進退方向Ｙ１，Ｙ２に対してなす角度θ１，θ２を、上記衝撃反力によって一対の保持アーム１１，１２を内向きに回動させる力Ｆが、ロックバネ１４の付勢力に抗してスライダ１３を後退位置に後退させることがない大きさ（例えば略直角）に設定してある。
【００３６】
より具体的には、角度θ１，θ２が８５度〜９５度の範囲にあれば、上記衝撃反力によって一対の保持アーム１１，１２を内向きに回動させる力Ｆ（スライダ１３を両側から挟持する挟持力）が、ロックバネ１４の付勢力Ｇに抗してスライダ１３を後退位置に後退させることを確実に防止することができる。したがって、耳障りな内部の衝撃音をより低減することができる。
【００３７】
また、トリガ３の保持に失敗したキャッチャー６が停止位置に配置されてしまった場合に、キャッチャー６を基準位置に自動的に復帰させることができる。すなわち、トリガ３を捕獲しない状態で停止位置に配置されたキャッチャー６において、内向きに回動した状態の一対の保持アーム１１，１２の第３カム面３１，３２をトリガ３が押し拡げることにより、トリガ３が前側の第２保持部３０に捕獲されるので、そのまま可動体１を自走開始位置まで復動させることができる。
【００３８】
本発明は上記実施の形態に限定れるものではなく、トリガが可動体に同行移動可能に保持され、ラッチ装置が固定体に固定されるものであってもよい。その他、本発明の請求項記載の範囲内で種々の変更を施すことができる。
【符号の説明】
【００３９】
１    可動体
１ａ  前端
２    固定体
２ａ  戸当たり
２ｂ  上枠
２ｃ  溝
３    トリガ
４    ラッチ装置
５    ベース
６    キャッチャー
７    引張りバネ
８    ダンパ
９    キャッチャー本体
１０  支軸
１１，１２  保持アーム
１３  スライダ、
１４  ロックバネ
１５  調整ねじ
１６  シリンダ
１７  ロッド
１８  被押圧部
１９，２０  第１カム面
２１，２２  第１カムフォロワ面
２３，２４  第１係合部
２５，２６  ストッパ部
２５ａ，２６ａ  第２カム面
２７，２８  第２カムフォロワ面
２９  第１保持部
３０  第２保持部
３１，３２  第３カム面
Ｆ    一対の保持アームを内向きに回動させる力
Ｇ    引張りバネの付勢力
Ｌ１，Ｌ２  法線
θ１，θ２  法線がスライダの進退方向に対してなす角度
【図１】
0005553780.tif 000002
【図２】
0005553780.tif 000003
【図３】
0005553780.tif 000004
【図４】
0005553780.tif 000005
【図５】
0005553780.tif 000006
【図６】
0005553780.tif 000007
【図７】
0005553780.tif 000008
【図８】
0005553780.tif 000009
【図９】
0005553780.tif 000010